【手続補正書】
【提出日】平成20年2月26日(2008.2.26)
【手続補正１】
【補正対象書類名】特許請求の範囲
【補正対象項目名】全文
【補正方法】変更
【補正の内容】
【特許請求の範囲】
【請求項１】
くるみ製本を要するくるみ製本ジョブと中綴じ製本を要する中綴じ製本ジョブを含む複数種類のジョブにて必要な印刷データを、記憶手段を介して印刷手段で印刷させることができるように構成された印刷システムであって、
処理対象のジョブが前記くるみ製本ジョブである場合に、
当該くるみ製本ジョブで用いる複数の印刷用紙に印刷すべき印刷データを前記記憶手段を介して前記印刷手段で印刷すると共に前記印刷手段で印刷された印刷用紙をくるみ製本手段へ供給するよう制御し、当該複数の印刷用紙の全てが前記くるみ製本手段へ供給されたら前記くるみ製本手段で当該複数の印刷用紙のくるみ製本を行うよう制御する制御手段を有し、
前記制御手段は、
処理対象のジョブが前記くるみ製本ジョブではなく前記中綴じ製本ジョブである場合に、
当該中綴じ製本ジョブで用いる複数の印刷用紙の各用紙の表裏に２ページ分の印刷データを前記記憶手段を介して前記印刷手段で印刷するよう制御し、当該複数の印刷用紙の各用紙の表裏に対する印刷が前記印刷手段にて全て済んだら、当該複数の印刷用紙の中心部分に対してステイプルして当該中心部分を基準に当該複数の印刷用紙を２つ折りするように中綴じ製本手段で中綴じ製本を行うよう制御し、
前記制御手段は、
前記中綴じ製本ジョブについては少なくとも前記中綴じ製本ジョブで用いる前記複数の印刷用紙の何れか１枚の印刷用紙の同一面上に先頭ページと最終ページの２ページ分の印刷データを印刷するために、前記中綴じ製本ジョブにて必要な印刷データを全ページ前記記憶手段に記憶するよう制御するのに対して、
前記くるみ製本ジョブについては少なくとも前記くるみ製本ジョブで用いる前記複数の印刷用紙の枚数が前記くるみ製本の中紙として許容できる枚数であることを確認してから前記印刷手段で印刷を行うために、前記くるみ製本ジョブにて必要な印刷データを全ページ前記記憶手段に記憶するよう制御することを特徴とする印刷システム。
【請求項２】
くるみ製本を要するくるみ製本ジョブと中綴じ製本を要する中綴じ製本ジョブを含む複数種類のジョブにて必要な印刷データを、記憶手段を介して印刷手段で印刷させることができるように構成された印刷システムのための制御方法であって、
前記制御方法は、
処理対象のジョブが前記くるみ製本ジョブである場合に、
当該くるみ製本ジョブで用いる複数の印刷用紙に印刷すべき印刷データを前記記憶手段を介して前記印刷手段で印刷すると共に前記印刷手段で印刷された印刷用紙をくるみ製本手段へ供給するよう制御し、当該複数の印刷用紙の全てが前記くるみ製本手段へ供給されたら前記くるみ製本手段で当該複数の印刷用紙のくるみ製本を行うよう制御し、
前記制御方法は、
処理対象のジョブが前記くるみ製本ジョブではなく前記中綴じ製本ジョブである場合に、
当該中綴じ製本ジョブで用いる複数の印刷用紙の各用紙の表裏に２ページ分の印刷データを前記記憶手段を介して前記印刷手段で印刷するよう制御し、当該複数の印刷用紙の各用紙の表裏に対する印刷が前記印刷手段にて全て済んだら、当該複数の印刷用紙の中心部分に対してステイプルして当該中心部分を基準に当該複数の印刷用紙を２つ折りするように中綴じ製本手段で中綴じ製本を行うよう制御し、
前記制御方法は、
前記中綴じ製本ジョブについては少なくとも前記中綴じ製本ジョブで用いる前記複数の印刷用紙の何れか１枚の印刷用紙の同一面上に先頭ページと最終ページの２ページ分の印刷データを印刷するために、前記中綴じ製本ジョブにて必要な印刷データを全ページ前記記憶手段に記憶するよう制御するのに対して、
前記くるみ製本ジョブについては少なくとも前記くるみ製本ジョブで用いる前記複数の印刷用紙の枚数が前記くるみ製本の中紙として許容できる枚数であることを確認してから前記印刷手段で印刷を行うために、前記くるみ製本ジョブにて必要な印刷データを全ページ前記記憶手段に記憶するよう制御することを特徴とする制御方法。
【請求項３】
くるみ製本の中紙として利用される複数の印刷用紙への印刷を印刷手段で行わせることができるように構成された印刷システムのための制御方法であって、
前記印刷に必要な印刷用紙の枚数が前記くるみ製本の中紙として許容できる枚数に該当する場合に前記印刷を前記印刷手段で行わせ、前記印刷に必要な印刷用紙の枚数が前記くるみ製本の中紙として許容できる枚数に該当しない場合に前記印刷を中止するよう制御することを特徴とする制御方法。
【請求項４】
請求項２又は３記載の制御方法であって、
前記制御方法は、
くるみ製本の中紙として利用する複数の印刷用紙への印刷を行うのに先立ち、
中綴じ製本とは異なる枚数制限として、くるみ製本の中紙についての上限値と下限値に基づく枚数制限を行うことで当該印刷を中止できるよう制御することを特徴とする制御方法。
【請求項５】
請求項２乃至４の何れかに記載の制御方法であって、
前記くるみ製本の中紙として許容できる枚数として、１回の中綴じ製本で処理できる用紙の枚数よりも少なくとも１０倍の枚数が適用されることを特徴とすることを特徴とする制御方法。
【請求項６】
請求項２乃至５の何れかに記載の制御方法であって、
前記くるみ製本の中紙として許容できる枚数として、少なくとも１０枚以上で１５０枚以下の枚数が適用されることを特徴とする制御方法。
【請求項７】
請求項２乃至６の何れかに記載の制御方法であって、
前記くるみ製本の中紙として許容できる枚数は、前記くるみ製本の中紙として利用される印刷用紙の種類毎に区別されることを特徴とする制御方法。
【請求項８】
請求項２乃至７の何れかに記載の制御方法であって、
前記制御方法は、
前記くるみ製本の表紙として利用される印刷用紙への印刷もユーザインタフェースを介してユーザから指示された場合に、前記くるみ製本の中紙として利用される複数の印刷用紙への印刷を行うと共に前記前記くるみ製本の表紙として利用される印刷用紙への印刷も前記印刷手段で行うよう制御することを特徴とする制御方法。
【請求項９】
請求項８記載の制御方法であって、
前記制御方法は、
前記くるみ製本の表紙に関して、前記印刷手段で印刷される印刷用紙を利用するか、インサータにセットされる予め印刷が施されている印刷用紙を利用するか、ユーザインタフェースを介してユーザにより選択可能にすることを特徴とする制御方法。
【請求項１０】
請求項２乃至９の何れかに記載の制御方法であって、
前記制御方法は、
前記くるみ製本の中紙として利用される複数の印刷用紙については少なくとも両面印刷が行われるよう制御することを特徴とする制御方法。
【請求項１１】
請求項２乃至１０の何れかに記載の制御方法であって、
前記印刷手段を具備する印刷装置に対して印刷データを送信可能な外部装置のユーザインタフェースを介して、前記くるみ製本をくるみ製本手段で実行させるための指示を受け付けることを特徴とする制御方法。
【請求項１２】
請求項２乃至１１の何れかに記載の制御方法であって、
前記制御方法は、
前記印刷手段を具備する印刷装置のユーザインタフェースを介して、前記くるみ製本をくるみ製本手段で実行させるための指示を受け付けることを特徴とする制御方法。
【請求項１３】
請求項２乃至１２の何れかに記載の制御方法をコンピュータに実行させる為のコンピュータプログラムを記憶したコンピュータ読取可能な記憶媒体。
【請求項１４】
請求項２乃至１２の何れかに記載の制御方法をコンピュータに実行させる為のコンピュータ実行可能なプログラム。
【請求項１５】
くるみ製本を要するくるみ製本ジョブと前記中綴じ製本を要する中綴じ製本ジョブを含む複数種類のジョブにて必要な印刷データを、記憶手段を介して印刷することが可能な印刷手段を有する印刷装置であって、
処理対象のジョブが前記くるみ製本ジョブである場合に、
当該くるみ製本ジョブで用いる複数の印刷用紙に印刷すべき印刷データを前記記憶手段を介して前記印刷手段で印刷すると共に前記印刷手段で印刷された印刷用紙をくるみ製本手段にて保持するよう制御し、当該複数の印刷用紙の全てが前記くるみ製本手段にて揃ったら前記くるみ製本手段で当該複数の印刷用紙のくるみ製本を行うよう制御する制御手段を有し、
前記制御手段は、
処理対象のジョブが前記くるみ製本ジョブではなく前記中綴じ製本ジョブである場合に、
当該中綴じ製本ジョブで用いる複数の印刷用紙の各用紙の表裏に２ページ分の印刷データを前記記憶手段を介して前記印刷手段で印刷し、当該複数の印刷用紙の各用紙の表裏に対する印刷が前記印刷手段で済んだ後に、当該複数の印刷用紙の中心部分に対してステイプルして当該中心部分を基準に当該複数の印刷用紙を２つ折りするように中綴じ製本手段で中綴じ製本を行うよう制御し、
前記制御手段は、
前記中綴じ製本ジョブについては少なくとも前記中綴じ製本ジョブで用いる前記複数の印刷用紙の何れか１枚の印刷用紙の同一面上に先頭ページと最終ページの２ページ分の印刷データを印刷するために、前記中綴じ製本ジョブにて必要な印刷データを全ページ前記記憶手段に記憶するよう制御するのに対して、
前記くるみ製本ジョブについては少なくとも前記くるみ製本ジョブで用いる前記複数の印刷用紙の枚数が前記くるみ製本の中紙として許容できる枚数であることを確認してから前記印刷手段で印刷を行うために、前記くるみ製本ジョブにて必要な印刷データを全ページ前記記憶手段に記憶するよう制御することを特徴とする印刷装置。
【請求項１６】
くるみ製本の中紙として利用される複数の印刷用紙への印刷を行うことが可能な印刷手段を有する印刷装置であって、
前記印刷に必要な印刷用紙の枚数が前記くるみ製本の中紙として許容できる枚数に該当する場合に前記印刷を行うよう制御し、前記印刷に必要な印刷用紙の枚数が前記くるみ製本の中紙として許容できる枚数に該当しない場合に前記印刷を中止するよう制御する制御手段を有することを特徴とする印刷装置。
【請求項１７】
請求項１５又は１６記載の印刷装置であって、
前記制御手段は、
くるみ製本の中紙として利用する複数の印刷用紙への印刷を行うのに先立ち、
中綴じ製本とは異なる枚数制限として、くるみ製本の中紙についての上限値と下限値に基づく枚数制限を行うことで当該印刷を中止できるよう制御することを特徴とする印刷装置。
【請求項１８】
請求項１５乃至１７の何れかに記載の印刷装置であって、
前記くるみ製本の中紙として許容できる枚数として、１回の中綴じ製本で処理できる用紙の枚数よりも少なくとも１０倍の枚数が適用されることを特徴とすることを特徴とする印刷装置。
【請求項１９】
請求項１５乃至１８の何れかに記載の印刷装置であって、
前記くるみ製本の中紙として許容できる枚数として、少なくとも１０枚以上で１５０枚以下の枚数が適用されることを特徴とする印刷装置。
【請求項２０】
請求項１５乃至１９の何れかに記載の印刷装置であって、
前記制御手段は、
前記くるみ製本の中紙として許容できる枚数を、前記くるみ製本の中紙として利用される印刷用紙の種類毎に区別することを特徴とする印刷装置。
【請求項２１】
請求項１５乃至２０の何れかに記載の印刷装置であって、
前記制御手段は、
前記くるみ製本の表紙として利用される印刷用紙への印刷もユーザインタフェースを介してユーザから指示された場合に、前記くるみ製本の中紙として利用される複数の印刷用紙への印刷を行うと共に前記前記くるみ製本の表紙として利用される印刷用紙への印刷も前記印刷手段で行うよう制御することを特徴とする印刷装置。
【請求項２２】
請求項２１記載の印刷装置であって、
前記制御手段は、
前記くるみ製本の表紙に関して、前記印刷手段で印刷される印刷用紙を利用するか、インサータにセットされる予め印刷が施されている印刷用紙を利用するか、ユーザインタフェースを介してユーザにより選択可能にすることを特徴とする印刷装置。
【請求項２３】
請求項１５乃至２２の何れかに記載の印刷装置であって、
前記制御手段は、
前記くるみ製本の中紙として利用される複数の印刷用紙については少なくとも両面印刷が行われるよう制御することを特徴とする印刷装置。
【請求項２４】
請求項１５乃至２３の何れかに記載の印刷装置であって、
前記印刷装置は、
自装置に対して印刷データを送信可能な外部装置のユーザインタフェースを介して、前記くるみ製本をくるみ製本手段で実行させるための指示を受け付けられるよう構成されることを特徴とする印刷装置。
【請求項２５】
請求項１５乃至２４の何れかに記載の印刷装置であって、
前記印刷装置は、
自装置のユーザインタフェースを介して、前記くるみ製本をくるみ製本手段で実行させるための指示を受け付けられるよう構成されることを特徴とする印刷装置。
【請求項２６】
請求項１５乃至２５の何れかに記載の印刷装置であって、
前記印刷装置は、
原稿読取装置およびホストコンピュータの少なくとも何れかからの印刷データを複数記憶可能な記憶手段に対して前記くるみ製本の中紙として利用される印刷用紙に印刷すべき印刷データが記憶された後に、ユーザインタフェースで前記くるみ製本の中紙として利用される印刷用紙に印刷を行うための指示を受け付けられるよう構成されることを特徴とする印刷装置。
【請求項２７】
請求項１５乃至２６の何れかに記載の印刷装置であって、
前記印刷装置は、前記くるみ製本を行うくるみ製本手段を有するシート処理装置に対して前記印刷手段で印刷された印刷用紙を供給できるよう構成されることを特徴とする印刷装置。
【手続補正２】
【補正対象書類名】明細書
【補正対象項目名】発明の名称
【補正方法】変更
【補正の内容】
【発明の名称】印刷システムおよび制御方法および記憶媒体およびコンピュータプログラムおよび印刷装置
【手続補正３】
【補正対象書類名】明細書
【補正対象項目名】０００１
【補正方法】変更
【補正の内容】
【０００１】
本発明は、くるみ製本に関する印刷を印刷手段で行わせることができるように構成された印刷システムおよび制御方法および記憶媒体およびコンピュータプログラムおよび印刷装置等に関する。
【手続補正４】
【補正対象書類名】明細書
【補正対象項目名】００２１
【補正方法】変更
【補正の内容】
【００２１】
又、本発明は、例えば、くるみ製本の中紙として許容できる枚数を把握していないユーザによって不適正な出力物が作成されてしまうといった不具合を抑えて、くるみ製本の中紙として利用される印刷用紙への印刷を行えることが可能な印刷システムおよび制御方法および記憶媒体およびコンピュータプログラムおよび印刷装置を提供することを目的とする。
【手続補正５】
【補正対象書類名】明細書
【補正対象項目名】００２２
【補正方法】変更
【補正の内容】
【００２２】
又、本発明は、例えば、糊付け製本処理を行う機器の小型化により発生する制限事項に起因した糊付け製本時の障害発生を抑えることができ、コスト、設置面積、小型化により発生する制限事項にともなう使い勝手の悪さ等の問題も解決可能になる、印刷システムおよび制御方法および記憶媒体およびコンピュータプログラムおよび印刷装置を提供することを目的とする。
【手続補正６】
【補正対象書類名】明細書
【補正対象項目名】００２３
【補正方法】変更
【補正の内容】
【００２３】
又、例えば、ユーザが様々な製本処理（くるみ製本や、中綴じ製本）を希望する可能性も考慮して、このようなニーズに対しても対処可能になる、印刷システムおよび制御方法および記憶媒体およびコンピュータプログラムおよび印刷装置を提供することを目的とする。
【手続補正７】
【補正対象書類名】明細書
【補正対象項目名】００２４
【補正方法】削除
【補正の内容】
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】変更
【補正の内容】
【００２６】
又、本発明は、例えば、くるみ製本についての多種多様な印刷出力形態をユーザが希望する可能性も考慮して、このようなニーズにも対処可能になる印刷システムおよび制御方法および記憶媒体およびコンピュータプログラムおよび印刷装置を提供することを目的とする。
【手続補正１０】
【補正対象書類名】明細書
【補正対象項目名】００２７
【補正方法】変更
【補正の内容】
【００２７】
又、本発明は、例えば、コストや設置面積等の事情で、このような製本処理が可能な製品の導入を見合わせている顧客等でも、導入することができ、ユーザは低コストで糊付け製本を行うことも可能となる、印刷システムおよび制御方法および記憶媒体およびコンピュータプログラムおよび印刷装置を提供することを目的とする。
【手続補正１１】
【補正対象書類名】明細書
【補正対象項目名】００２８
【補正方法】変更
【補正の内容】
【００２８】
又、本発明は、例えば、本システムは外部装置からも利用することができるので、本システムの利用効率を更に向上させる事が出来る印刷システムおよび制御方法および記憶媒体およびコンピュータプログラムおよび印刷装置を提供することを目的とする。
【手続補正１２】
【補正対象書類名】明細書
【補正対象項目名】００２９
【補正方法】変更
【補正の内容】
【００２９】
このように、本発明は、例えば、くるみ製本を行うのに適用される印刷装置や印刷システムを実際に製品実用化するにあたり、従来技術として想定したような問題が発生することを未然に防止するように働き、装置にて意図しないトラブルが起きたり、作業者に余計な負担をかける等の問題が起こるのを未然に防止するように働く、くるみ製本を実行できる環境を想定した、使い勝手の良い便利な、デジタルプリンティングシステム等の印刷システムおよび制御方法および記憶媒体およびコンピュータプログラムおよび印刷装置を提供することを目的とする。
【手続補正１３】
【補正対象書類名】明細書
【補正対象項目名】００３０
【補正方法】変更
【補正の内容】
【００３０】
そして、例えば、くるみ製本を実行させたい等の要望をもったユーザを含む、様々なユーザからの、様々なニーズに対して、柔軟に対応することも可能となり、このよう効果を、上述のような不具合が生じる事無く、享受可能になる、印刷システムおよび制御方法および記憶媒体およびコンピュータプログラムおよび印刷装置を提供することを目的とする。
【手続補正１４】
【補正対象書類名】明細書
【補正対象項目名】００３１
【補正方法】変更
【補正の内容】
【００３１】
本発明は、くるみ製本を要するくるみ製本ジョブと中綴じ製本を要する中綴じ製本ジョブを含む複数種類のジョブにて必要な印刷データを、記憶手段を介して印刷手段で印刷させることができるように構成された印刷システムで、処理対象のジョブが前記くるみ製本ジョブである場合に、当該くるみ製本ジョブで用いる複数の印刷用紙に印刷すべき印刷データを前記記憶手段を介して前記印刷手段で印刷すると共に前記印刷手段で印刷された印刷用紙をくるみ製本手段へ供給するよう制御し、当該複数の印刷用紙の全てが前記くるみ製本手段へ供給されたら前記くるみ製本手段で当該複数の印刷用紙のくるみ製本を行うよう制御し、処理対象のジョブが前記くるみ製本ジョブではなく前記中綴じ製本ジョブである場合に、当該中綴じ製本ジョブで用いる複数の印刷用紙の各用紙の表裏に２ページ分の印刷データを前記記憶手段を介して前記印刷手段で印刷するよう制御し、当該複数の印刷用紙の各用紙の表裏に対する印刷が前記印刷手段にて全て済んだら、当該複数の印刷用紙の中心部分に対してステイプルして当該中心部分を基準に当該複数の印刷用紙を２つ折りするように中綴じ製本手段で中綴じ製本を行うよう制御し、前記中綴じ製本ジョブについては少なくとも前記中綴じ製本ジョブで用いる前記複数の印刷用紙の何れか１枚の印刷用紙の同一面上に先頭ページと最終ページの２ページ分の印刷データを印刷するために、前記中綴じ製本ジョブにて必要な印刷データを全ページ前記記憶手段に記憶するよう制御するのに対して、前記くるみ製本ジョブについては少なくとも前記くるみ製本ジョブで用いる前記複数の印刷用紙の枚数が前記くるみ製本の中紙として許容できる枚数であることを確認してから前記印刷手段で印刷を行うために、前記くるみ製本ジョブにて必要な印刷データを全ページ前記記憶手段に記憶するよう制御することを特徴とする。
また、本発明は、くるみ製本の中紙として利用される複数の印刷用紙への印刷を行うことが可能な印刷手段による前記印刷に必要な印刷用紙の枚数が前記くるみ製本の中紙として許容できる枚数に該当する場合に前記印刷を行うよう制御し、前記印刷に必要な印刷用紙の枚数が前記くるみ製本の中紙として許容できる枚数に該当しない場合に前記印刷を中止するよう制御することを特徴とする。
【手続補正１５】
【補正対象書類名】明細書
【補正対象項目名】００３２
【補正方法】変更
【補正の内容】
【００３２】
本発明によれば、例えば、くるみ製本を行うのに適用される印刷装置や印刷システムを実際に製品実用化するにあたり、従来技術として想定したような問題が発生することを未然に防止し、装置にて意図しないトラブルが起きたり、作業者に余計な負担をかける等の問題が起こるのを未然に防止し、くるみ製本を実行できる環境を想定した、使い勝手の良い便利な、デジタルプリンティングシステム等の印刷システムや印刷装置を提供することができ、そして、例えば、くるみ製本を実行させたい等の要望をもったユーザを含む、様々なユーザからの、様々なニーズに対して、柔軟に対応することも可能となり、このよう効果を、上述のような不具合が生じる事無く、享受可能になる等の効果を奏する。